(57)【要約】    【構成】情報提示システム１０はサーバ１２を含み、サーバ１２には或る領域に所定の距離を隔てて配置される検出装置２０ａおよび２０ｂが接続される。タグ２２を所持したユーザが当該領域内に存在するとき、検出装置２０ａおよび２０ｂは、当該タグ２２が発信する識別情報を検出し、当該識別情報を検出したときの電波強度を検出し、サーバ１２に入力する。サーバ１２は、ユーザ情報ＤＢ１４を参照して、検出した識別情報に基づいてユーザを特定し、当該ユーザに提示すべきメッセージをメッセージ情報ＤＢ１６から取得する。そして、検出装置２０ａおよび２０ｂから入力された電波強度に基づいてユーザの位置を検出し、検出した位置にメッセージ表示領域を設定して、取得したメッセージを当該メッセージ表示領域にスクロール表示する。    【効果】ユーザに特別の操作を求めることなく、メッセージを提示することができる。【選択図】  図１
2005275842.tif 000002
【特許請求の範囲】
【請求項１】
タグを所持したユーザが移動可能な領域において当該ユーザに情報を提示する情報提示システムであって、
前記タグを検出するタグ検出手段、
前記タグ検出手段によって検出されたタグに基づいて個人宛情報を特定する個人宛情報特定手段、
前記領域における前記ユーザの位置を検出する位置検出手段、および
前記領域に設けられ、前記ユーザの位置に対応して表示領域を設定し、前記個人宛情報特定手段によって特定された個人宛情報を、前記表示領域に表示する表示手段を備える、情報提示システム。
【請求項２】
個人宛情報についての属性情報を記憶する属性情報記憶手段をさらに備え、
前記表示手段は、前記ユーザに対して複数の個人宛情報が存在するとき、前記属性情報に基づいて前記複数の個人宛情報を表示する、請求項１記載の情報提示システム。
【請求項３】
前記属性情報は、前記個人宛情報についての緊急度および重要度の少なくとも一方を含む、請求項２記載の情報提示システム。
【請求項４】
前記タグは無線タグであり、
前記タグ検出手段は、前記無線タグが発信する識別情報を受信するとともに、前記識別情報を受信したときの受信強度を検出し、
前記個人宛情報特定手段は前記タグ検出手段によって受信された前記識別情報に基づいて前記個人宛情報を特定し、
前記位置検出手段は前記タグ検出手段によって検出された受信強度に基づいて前記ユーザの位置を検出する、請求項１ないし３のいずれかに記載の情報提示システム。
【発明の詳細な説明】
【技術分野】
【０００１】
この発明は情報提示システムに関し、特にたとえば、タグを持ったユーザが移動可能な領域において当該ユーザに情報を提示する、情報提示システムに関する。
【背景技術】
【０００２】
この種の従来技術の一例が特許文献１に開示される。この特許文献１によれば、ネットワークを介して情報画像管理サーバ、広告代理店用端末、クライアント（端末）が互いに接続されており、広告代理店用端末からのクライアント特定条件情報に基づいて、情報画像管理サーバは、当該クライアント特定条件情報に合致したクライアント端末を抽出する。そして、情報画像管理サーバは、抽出されたクライアント端末の管理領域に記憶された情報画像の更新若しくは追加を行うメッセージを送信する。これに応じて、クライアント端末は当該メッセージに従って情報画像の更新若しくは追加を行う。このようにして、情報画像管理サーバは、特定のクライアント端末にのみ、情報画像を配信する。
【特許文献１】特開２００２−１２３５４８号
【発明の開示】
【発明が解決しようとする課題】
【０００３】
しかし、この従来技術では、特定のクライアント端末にのみ、情報画像を配信することができるが、配信を受けた情報画像を確認するためには、当該クライアント端末の使用者は、当該クライアント端末を操作する必要があった。つまり、当該使用者に必要な情報を提示するためには、当該使用者は自身の端末を操作する必要があり、ユーザの手を煩わせていた。
【０００４】
それゆえに、この発明の主たる目的は、新規な、情報提示システムを提供することである。
【０００５】
また、この発明の他の目的は、ユーザに特別の操作を求めることなく、当該ユーザに情報を提示できる、情報提示システムを提供することである。
【課題を解決するための手段】
【０００６】
請求項１の発明は、タグを所持したユーザが移動可能な領域において当該ユーザに情報を提示する情報提示システムであって、タグを検出するタグ検出手段、タグ検出手段によって検出されたタグに基づいて個人宛情報を特定する個人宛情報特定手段、領域におけるユーザの位置を検出する位置検出手段、および領域に設けられ、ユーザの位置に対応して表示領域を設定し、個人宛情報特定手段によって特定された個人宛情報を、表示領域に表示する表示手段を備える、情報提示システムである。
【０００７】
請求項１の発明では、情報提示システムは、タグを所持した（装着した）ユーザが移動可能な領域において当該ユーザに情報を提示する。タグ検出手段は、当該領域に存在するタグを検出する。つまり、タグが発信する識別情報を検出する。個人宛情報特定手段は、タグ検出手段によって検出されたタグ（識別情報）に基づいて個人宛情報を特定する。つまり、検出したタグを持ったユーザについての個人宛情報を特定するのである。位置検出手段は、領域に存在するユーザの位置を検出する。表示手段は、当該領域に設けられ、ユーザの位置に対応して個人宛情報を表示するための表示領域を設定し、個人宛情報特定手段によって特定された個人宛情報を、設定した表示領域に表示する。つまり、ユーザの位置に対応する位置に個人宛情報を表示するので、当該領域内で移動するユーザや停止するユーザに個人宛情報が表示される。
【０００８】
請求項１の発明によれば、ユーザの移動可能な領域において、当該領域に存在するユーザに対して個人宛情報を表示するので、当該ユーザに特別の操作を求めることなく、情報を提示することができる。
【０００９】
請求項２の発明は請求項１に従属し、個人宛情報についての属性情報を記憶する属性情報記憶手段をさらに備え、表示手段は、ユーザに対して複数の個人宛情報が存在するとき、属性情報に基づいて複数の個人宛情報を表示する。
【００１０】
請求項２の発明では、属性情報記憶手段は個人宛情報についての属性情報を記憶する。表示手段は、ユーザに対して表示すべき個人宛情報が複数存在するとき、たとえば、属性情報に基づいて複数の個人宛情報を順番に表示する。また、表示手段に複数の表示領域を設ける場合には、各個人宛情報を表示する表示領域を、属性情報に基づいて決定することもできる。
【００１１】
請求項２の発明では、属性情報に従って個人宛情報を表示するので、複数の個人宛情報が存在する場合であっても、適切に情報を提示することができる。
【００１２】
請求項３の発明は請求項２に従属し、属性情報は、個人宛情報についての緊急度および重要度の少なくとも一方を含む。
【００１３】
請求項３の発明では、属性情報は個人宛情報の緊急度および重要度の少なくとも一方を含むので、たとえば、緊急度や重要度の高い順に個人宛情報が表示される。また、表示手段に複数の表示領域を設ける場合には、緊急度や重要度の高い個人宛情報を、ユーザの目線が行き易い領域に表示したり、緊急度や重要度の比較的低い個人宛情報とは異なる色で表示したりすることもできる。
【００１４】
請求項３の発明では、個人宛情報をさらに適切に表示することができる。
【００１５】
請求項４の発明は請求項１ないし３のいずれかに従属し、タグは無線タグであり、タグ検出手段は、無線タグが発信する識別情報を受信するとともに、識別情報を受信したときの受信強度を検出し、個人宛情報特定手段はタグ検出手段によって受信された識別情報に基づいて個人宛情報を特定し、位置検出手段はタグ検出手段によって検出された受信強度に基づいてユーザの位置を検出する。
【００１６】
請求項４の発明では、たとえば、無線タグが用いられ、タグ検出手段は、周波数タグが発信する識別情報を受信するとともに、当該識別情報を受信したときの受信強度を検出する。たとえば、無線タグが周波数タグであれば、当該周波数タグが発信する識別情報（ＲＦＩＤ）を受信し、そのＲＦＩＤを受信したときの電波強度を検出するのである。個人宛情報特定手段は、タグ検出手段によって受信された識別情報に基づいて個人宛情報を特定する。また、位置検出手段は、タグ検出手段によって検出された受信強度に基づいてユーザの位置を検出する。
【００１７】
請求項４の発明によれば、無線タグを用いることにより、簡単な構成でタグを所持するユーザおよびその個人宛情報を特定でき、容易にユーザの位置を検出することができる。
【発明の効果】
【００１８】
この発明によれば、ユーザの移動可能な領域において、当該領域に存在するユーザに対して個人宛情報を表示するので、当該ユーザに特別の操作を求めることなく情報を提示することができる。
【００１９】
この発明の上述の目的，その他の目的，特徴および利点は、図面を参照して行う以下の実施例の詳細な説明から一層明らかとなろう。
【発明を実施するための最良の形態】
【００２０】
図１を参照して、この実施例の情報提示システム１０はサーバ１２を含み、サーバ１２には、データベース１４、データベース１６、表示装置１８、検出装置２０aおよび検出装置２０ｂが接続される。また、情報提示システム１０は、複数のタグ２２を含み、タグ２２はユーザによって所持ないし装着される（図５参照）。
【００２１】
データベース（ＤＢ）１４は、ユーザの識別情報（ユーザ情報）を記憶する。たとえば、図２に示すように、ユーザ情報のテーブル１４ｔがＤＢ１４に記憶される。このユーザ情報のテーブル１４ｔには、タグ２２が発信する固有の識別情報（タグＩＤ）に対応して、当該タグ２２を所持等するユーザの識別情報（ユーザＩＤ）が記憶される。たとえば、タグ２２は、アクティブ型のＲＦタグであり、固有の識別情報（ＲＦＩＤ：Radio Frequency Identification）を所定周波数の電波に重畳して、一定の時間間隔で送信（発信）し、そのＲＦＩＤがタグＩＤに相当する。ただし、ＲＦタグは、パッシブ型のものを用いることも可能である。また、ユーザＩＤはユーザの氏名である。以下、同様である。
【００２２】
ＤＢ１６は、ユーザに提示するメッセージについての情報（個人宛情報）を記憶する。具体的には、ＤＢ１６には、図３（Ａ）に示すようなメッセージ情報のテーブル１６ａｔおよび図３（Ｂ）に示すような属性情報のテーブル１６ｂｔが記憶される。図３（Ａ）に示すように、テーブル１６ａｔには、メッセージデータのファイル名のような識別情報（メッセージＩＤ）に対応して、メッセージデータ（テキストデータ）が記憶される。また、図３（Ｂ）に示すように、テーブル１６ｂｔには、メッセージＩＤに対応して、当該メッセージの宛先であるユーザのユーザＩＤ（宛先ＩＤ）が記憶され、さらに、当該メッセージの緊急度、当該メッセージの発信日時（厳密には、サーバ１２によって、ＤＢ１６にメッセージが登録された日時）および当該メッセージの表示（提示）回数が記憶される。このテーブル１６ｂｔは、テーブル１６ａｔ（メッセージ情報）についての属性情報である。
【００２３】
サーバ１２は、後述するように、タグＩＤを検出すると、テーブル１４ｔを参照してユーザＩＤを特定し、次に属性情報のテーブル１６ｂｔを参照して、当該ユーザＩＤ（宛先ＩＤ）に対応するメッセージＩＤを検出する。そして、検出したメッセージＩＤで対応づけられたメッセージデータを、テーブル１６ａｔから読み出し、当該ユーザＩＤのユーザに提示するのである。
【００２４】
ここで、緊急度や発信日時を属性情報として記憶しておくのは、１人のユーザに対して複数のメッセージが有る場合に、メッセージを表示（提示）する順番を決定するためである。緊急度が「急」であるメッセージがあれば、発信日時に拘わらず、当該メッセージを優先してユーザに提示する。また、緊急度が「普通」であるメッセージがあれば、当該メッセージを発信日時の早い順にユーザに提示する。ただし、緊急度が「急」であるメッセージが複数有る場合には、それらのメッセージを発信日時の早い順にユーザに提示する。
【００２５】
なお、緊急度に代えて、メッセージについての重要度が属性情報に含まれるようにしてもよい。かかる場合には、重要度の高い順にメッセージを提示することができる。また、緊急度と重要度との両方を記憶しておけば、緊急度と重要度との両方に基づく順番でメッセージを提示することができる。
【００２６】
また、表示回数を記憶するようにしてあるのは、所定回数（この実施例では、３回）メッセージの表示を行った場合に、当該メッセージについてのメッセージ情報およびその属性情報を削除するようにするためである。
【００２７】
このような提示情報は、サーバ１２に直接或いは間接的に入力される。直接入力される場合には、当該サーバ１２の管理者が図示しない入力装置（キーボードやコンピュータマウス等）を用いて、テーブル１６ａｔおよびテーブル１６ｂｔにメッセージ情報および属性情報を入力（追加）する。また、間接的に入力する場合には、所定のフォーマットに従った提示情報をサーバ１２に送信することにより、入力することができる。たとえば、図４に示すような所定のフォーマットが、提示情報（メッセージ）を入力する入力者の操作する端末（ＰＣ或いはＰＤＡなど）の画面に表示され、当該端末を操作して、所定のフォーマットに宛先（ユーザ名）、メッセージを入力するとともに、緊急度を選択する。そして、送信ボタンを押す（クリックする）と、図示しないネットワークを介して、所定のフォーマットに従う提示情報がサーバ１２に入力される。サーバ１２は、当該フォーマットに従う提示情報を受信すると、受信した日時を図示しない時計回路（内部タイマ）から取得し、メッセージ情報および属性情報を、テーブル１６ａｔおよびテーブル１６ｂｔにそれぞれ登録する。
【００２８】
ただし、提示情報は電子メールで入力するようにしてもよい。かかる場合には、サーバ１２はメールサーバとしても機能し、また、ユーザ情報のテーブル１４ｔには、各ユーザＩＤに対応して、メールアドレスを登録しておく必要がある。これは、電子メールに含まれる宛先のメールアドレスからユーザ（ユーザＩＤおよび宛先ＩＤ）を特定するためである。また、インスタントメッセージにより、提示情報を入力することも可能である。
【００２９】
図１に戻って、検出装置２０ａおよび２０ｂは、ユーザが所持等するタグ２２を検出するものである。上述したように、この実施例では、タグ２２はＲＦタグであり、検出装置２０ａおよび２０ｂは、タグ２２が発信するＲＦＩＤ（タグＩＤ）を受信するとともに、当該タグＩＤを受信したときの電波強度を検出し、受信したタグＩＤと検出した電波強度とをサーバ１２に入力する。
【００３０】
すると、サーバ１２は、ＤＢ１４に記憶されるテーブル１４ｔを参照して、検出装置２０ａおよび２０ｂから入力されたタグＩＤに対応するユーザ（ユーザＩＤ）を特定する。また、サーバ１２は、検出装置２０ａおよび２０ｂから入力された電波強度に基づいて、検出装置２０ａおよび検出装置２０ｂとの間（後述するメッセージの表示可能領域）を移動または停止するユーザの位置（移動位置または静止位置）を特定する。検出装置２０ａと検出装置２０ｂとは、後述するように、所定の距離を隔てて配置され（図５参照）、その配置間隔（配置距離）は、予め知ることができるため、検出装置２０ａおよび２０ｂの各々で検出された電波強度の強さの比率によって、配置距離を内分すれば、検出装置２０ａおよび２０ｂからユーザまでの距離が分かる。したがって、ユーザの移動位置または静止位置（ユーザ位置）が特定される。
【００３１】
また、表示装置１８は、ＬＥＤを用いたディスプレイまたはＬＣＤであり、サーバ１２によって表示制御される。表示装置１８の表示部１８ａには、所定の大きさ（たとえば、表示部１８ａの長さの５分の１の長さ）に決定された１のメッセージ表示領域１８ｂが設けられ、当該メッセージ表示領域１８ｂは、その位置を表示部１８ａ内で変化（移動）させることができる。
【００３２】
このような構成の情報提示システム１０は、ユーザが移動可能な領域に適用される。たとえば、病院、工場、レストランのような建物内に適用される。かかる場合、ユーザとしては、医師、看護師、介護者、患者、工員および店員などが該当する。図５は、建物内に情報提示システム１０を適用した場合の一例を示す図解図である。この図５では、ユーザが移動可能な領域としての或る廊下に検出装置２０ａおよび２０ｂが所定の距離（たとえば、５ｍ〜１０ｍ）を隔てて配置される。また、検出装置２０ａと検出装置２０ｂとの配置距離と同じ或いはほぼ同じ長さを有して、当該廊下の壁にその表示部１８ａが露出するように表示装置１８が設けられる。この表示部１８ａによって規定される長さがメッセージの表示可能な範囲（表示可能領域）である。
【００３３】
ただし、検出装置２０ａ，２０ｂは廊下に設ける必要はなく、たとえば、天井に設けるようにしてもよい。かかる場合には、タグ２２の送信電波が上方（ユーザの真上や斜め上方）に送信されるように、タグ２２がユーザに所持等される。
【００３４】
なお、この実施例では、サーバ１２は、検出装置２０ａおよび２０ｂから入力される電波強度に基づいてユーザ位置を特定するため、使用するタグ２２の電波強度（発信強度）によって、検出装置２０ａと検出装置２０ｂとの配置距離は決定される。
【００３５】
また、図５においては、サーバ１２、ＤＢ１４およびＤＢ１６は省略してあるが、当該建物内に設けられる。
【００３６】
たとえば、ユーザＡが、当該表示可能領域に検出装置２０ａ側から侵入し、検出装置２０ｂ側から当該表示可能領域を退出した場合には、図６に示すように、サーバ１２は、検出装置２０ａおよび検出装置２０ｂからの出力を検出して、テーブルを作成する。このようなテーブルは、サーバ１２内のワークメモリ１２ａ（図１参照）に作成される。簡単に説明すると、ユーザＡが検出装置２０ａ側から表示可能領域に近づくと、検出装置２０ａは、タグ２２のタグＩＤ（ここでは、「ｆ１」）を検出し、検出装置２０ａからのみ当該タグＩＤが入力される。
【００３７】
なお、図６において、検出装置２０ａで検出されるタグＩＤが途切れてしまっているのは、検出装置２０ａとタグ２２との距離が比較的遠いことにより、または障害物の存在により、電波状況が悪いためである。
【００３８】
ユーザＡが当該表示可能領域内に侵入すると、検出装置２０ａおよび２０ｂの両方で、タグＩＤを検出する。したがって、サーバ１２では、検出装置２０ａおよび２０ｂの両方で、同一のタグＩＤが検出されている場合に、当該タグＩＤに対応するユーザＡが当該表示可能領域内に存在することが分かる。そして、ユーザＡが当該表示可能領域を退出すると、検出装置２０ｂのみで、タグＩＤが検出され、その後、タグ２２のタグＩＤを検出しなくなる。したがって、サーバ１２では、検出装置２０ｂのみでタグＩＤが検出され、その後、タグＩＤを検出しなくなると、ユーザＡが当該表示可能領域から退出したことが分かる。
【００３９】
なお、検出装置２０ｂで検出されるタグＩＤが途切れているのは、検出装置２０ａで検出されたタグＩＤが途切れた場合と同様の理由による。
【００４０】
続いて、メッセージの提示（表示）方法について簡単に説明する。サーバ１２は、検出装置２０ａおよび２０ｂの両方から同じタグＩＤが入力されると、ユーザがメッセージの表示可能領域内に侵入したと判断し、テーブル１４ｔを参照して、タグＩＤからユーザＩＤを特定する。次に、サーバ１２は、ユーザＩＤを特定すると、属性情報のテーブル１６ｂｔを参照して、当該ユーザＩＤ（宛先ＩＤ）に対応するメッセージＩＤが有るかどうかを判断する。
【００４１】
当該ユーザＩＤに対応するメッセージＩＤが有る場合には、サーバ１２は、ユーザ位置を、検出装置２０ａおよび２０ｂから入力される電波強度に基づいて特定し、特定したユーザ位置と対応する表示部１８ａの位置にメッセージ表示領域１８ｂを設定する。そして、メッセージＩＤに対応するメッセージデータをテーブル１６ａｔから読み出し、設定したメッセージ表示領域１８ｂにスクロール表示する。この実施例では、ユーザ位置がメッセージ表示領域１８ｂの中心位置と一致或いはほぼ一致するように、当該メッセージ表示領域１８ｂの位置が特定される。
【００４２】
ただし、検出装置２０ａおよび２０ｂのいずれか一方でタグＩＤを検出したときに、ユーザＩＤを特定し、それに基づいてメッセージＩＤが有るかどうかを判断しておき、メッセージＩＤが有る場合に、当該ユーザＩＤのユーザが表示可能領域に侵入したときに、メッセージを表示するようにしてもよい。
【００４３】
図７（Ａ）に示すように、たとえば、ユーザ位置に対応して、メッセージ表示領域１８ｂは設定され、当該ユーザに提示すべきメッセージがスクロール表示される。なお、この実施例では、メッセージ表示領域１８ｂを四角枠で表示してあるが、実際には、このような枠は存在せず、メッセージが表示されるだけである。ユーザが進行方向（ここでは、図７の右方向）に移動している場合には、その都度、上述したように、サーバ１２が電波強度に基づいてユーザ位置を特定し、特定したユーザ位置に対応する位置にメッセージ表示領域１８ｂを設定する。したがって、図７（Ｂ）に示すように、メッセージ表示領域１８ｂは、ユーザ位置の移動に伴って変更される。このため、ユーザは、表示可能領域を移動しながら、メッセージを読み取る（確認する）ことができる。ただし、ユーザ位置に応じてメッセージ表示領域１８ｂの位置を設定するようにしてあるため、重要なメッセージであれば、ユーザは、立ち止まって、当該メッセージを確認することもできる。また、図７（Ｂ）に示すように、メッセージはメッセージ表示領域１８ｂ内で、左方向にスクロール表示される。これにより、長いメッセージであっても、そのすべてを表示することができるのである。
【００４４】
なお、この実施例では、検出装置２０ａ側から侵入し、検出装置２０ｂ側から退出する場合についてのみ説明してあるが、検出装置２０ｂ側から侵入し、検出装置２０ａ側から退出する場合であっても、同様にして、メッセージを表示することができる。
【００４５】
また、この実施例では、１人のユーザを検出した場合についてのみ説明してあるが、当該表示可能領域を複数のユーザが移動または静止する場合には、当該複数のユーザに対して提示すべきメッセージを表示することができる。これは、ユーザ位置に対応する位置にメッセージ表示領域１８ｂを設定するようにしてあるからである。したがって、かかる場合には、検出されたユーザ毎にメッセージ表示領域１８ｂが設定されることになる。
【００４６】
ただし、このような場合には、１つの表示装置２２を複数人（多人数）で共用することとなるため、メッセージについてのプライバシやセキュリティが問題となる場合もある。かかる場合には、図示は省略するが、表示部１８ａに、偏向フィルタやパララックスバリア（スリット）等を設けるようにすれば、メッセージの提示を受けるべきユーザ以外の者が当該メッセージを見ることができないようにすることが可能である。これにより、プライバシに拘わる内容やセキュリティを要する内容のように、秘匿性を有する内容であってもユーザに提示することができる。
【００４７】
たとえば、ユーザが看護師である場合には、ナースコールによる呼び出しに対応するメッセージを表示するようにしておけば、看護師は、ナースステーションに存在しなくても、当該メッセージを見て、ナースコールのあった患者の病室に向かい、適切な処置を施すことができる。
【００４８】
かかる場合には、ナースコールがあると、ナースステーションに存在する婦長等の他の看護師が自身の端末を用いて提示情報（メッセージ）をサーバ１２に入力することができる。ただし、ナースコールの場合には、ナースコールのあった患者の病室等に、当該患者を担当する看護師を向かわせるようにするための固定的なメッセージを表示すればよい。このため、固定的なメッセージを予め用意しておき、さらに、ナースコール端末の呼び出しをサーバ１２で検知するようにして、サーバ１２が提示情報を登録するようにしてもよい。
【００４９】
具体的には、ナースコール端末毎に識別情報（ナースコール端末ＩＤ）を割り当てるとともに、当該ナースコール端末ＩＤに対応して当該ナースコール端末を使用する患者の名前（患者ＩＤ）を記憶したテーブルを作成しておき、ナースコール端末の操作をサーバ１２で検知して、サーバ１２が患者を特定する。さらに、患者ＩＤに対応して、当該患者を担当する看護師の名前（この実施例では、ユーザＩＤ）を記憶したテーブルを作成しておけば、当該ユーザＩＤについての属性情報を作成することができる。なお、この場合には、たとえば、属性情報の緊急度は「急」に自動設定される。また、たとえば「（看護師名）さん、（患者名）さんの病室に向かってください。」のようなメッセージを予め用意しておき、用意しておいたメッセージに、上述したようなテーブルに従って特定した患者名と看護師名とを入力することにより、メッセージ情報を作成することができる。
【００５０】
具体的には、図１に示したサーバ１２が図８および図９に示す情報提示処理のフロー図に従って処理する。なお、ここでは、簡単のため、１のタグ２２すなわち１人のユーザを検出した場合について説明することにする。ただし、複数のタグ２２すなわち複数のユーザを検出した場合には、後述するステップＳ３以降の処理を、各タグ２２（ユーザ）毎に処理すればよい。
【００５１】
図８を参照して、サーバ１２は、情報提示処理を開始すると、ステップＳ１で、タグ２２を検出したかどうかを判断する。タグ２２を検出していなければ、ステップＳ１で“ＮＯ”となり、そのまま同じステップＳ１に戻る。しかし、タグ２２を検出すれば、ステップＳ１で“ＹＥＳ”となり、ステップＳ３で、ユーザ情報のテーブル１４ｔを参照して、タグＩＤからユーザＩＤを特定する。
【００５２】
次のステップＳ５では、当該ユーザに提示すべきメッセージがあるかどうかを判断する。具体的には、サーバ１２は、属性情報のテーブル１６ｂｔを参照して、ステップＳ３で特定されたユーザＩＤに対応するメッセージＩＤが存在するかどうかを判断するのである。
【００５３】
ステップＳ５で“ＮＯ”であれば、つまり特定したユーザＩＤに対応するメッセージＩＤがなければ、当該ユーザに提示すべきメッセージがないと判断して、そのままステップＳ１に戻る。一方、ステップＳ５で“ＹＥＳ”であれば、つまり特定したユーザＩＤに対応するメッセージＩＤがあれば、当該ユーザに提示すべきメッセージが有ると判断して、ステップＳ７で、最初に提示すべきメッセージデータを取得する。ここでは、上述したように、属性情報のテーブル１６ｂｔに記述された緊急度および発信日時に基づいて、最初に提示すべきメッセージが選択される。ただし、当該ユーザに提示すべきメッセージが１つのみである場合には、当該メッセージのメッセージデータが取得される。
【００５４】
次にステップＳ９では、当該ユーザが表示圏内すなわち表示可能領域内に存在するかどうかを判断する。ここでは、ワークメモリ１２ａを参照して、検出装置２０ａおよび検出装置２０ｂの両方で、当該ユーザに対応するタグＩＤが検出されているかどうかを判断する。ここで、“ＮＯ”であれば、つまり当該ユーザが表示圏内に存在しなければ、そのままステップＳ１に戻る。一方、“ＹＥＳ”であれば、つまり当該ユーザが表示圏内に存在すれば、ステップＳ１１で、当該ユーザの位置を検出する。つまり、上述したように、タグＩＤを受信したときの電波強度に基づいて、ユーザ位置を特定する。
【００５５】
続いて、図９に示すステップＳ１３では、ユーザ位置に合わせてメッセージを表示する。つまり、ユーザ位置を中心として、所定の大きさのメッセージ表示領域１８ｂ（の位置）を表示部１８ａに設定し、当該メッセージ表示領域１８ｂに、メッセージＩＤに対応するメッセージデータを出力する。このとき、メッセージがメッセージ表示領域１８ｂ内で左方向にスクロールされるように、メッセージデータは出力される。
【００５６】
そして、ステップＳ１５では、当該メッセージをすべて表示したかどうかを判断する。ステップＳ１５で“ＮＯ”であれば、つまり当該メッセージをすべて表示していなければ、そのままステップＳ９に戻る。一方、ステップＳ１５で“ＹＥＳ”であれば、つまり当該メッセージをすべて表示すれば、ステップＳ１７で、当該メッセージについての属性情報に含まれる表示回数を１加算する。
【００５７】
続くステップＳ１９では、当該メッセージの表示回数が「３」以上であるかどうかを判断する。ステップＳ１９で“ＮＯ”であれば、つまり表示回数が「３」未満であれば、そのままステップＳ２３に移行する。一方、ステップＳ１９で“ＹＥＳ”であれば、つまり表示回数が「３」以上であれば、ステップＳ２１で、当該メッセージをリジェクトして、ステップＳ２３に進む。ステップＳ２１では、表示したメッセージについてのメッセージ情報およびその属性情報を、テーブル１６ａｔおよびテーブル１６ｂｔから削除するのである。
【００５８】
ステップＳ２３では、次に提示すべきメッセージがあるかどうかを判断する。ステップＳ２３で“ＮＯ”であれば、つまり次に提示すべきメッセージがなければ、そのまま図８に示したステップＳ１に戻る。一方、ステップＳ２３で“ＹＥＳ”であれば、つまり次に提示すべきメッセージが有れば、ステップＳ２５で、次に提示すべきメッセージを取得して、図８に示したステップＳ９に戻る。
【００５９】
なお、この情報提示処理では、３回表示（提示）済みのメッセージについてのメッセージ情報および属性情報を削除するようにしたが、属性情報のみを削除して、メッセージ情報は残しておくようにしてもよい。たとえば、重要なメッセージについては、後で別途確認したりする場合があると考えられるからである。
【００６０】
また、この実施例では、表示可能領域にユーザが存在し続ける場合には、繰り返しメッセージが表示されるが、表示可能領域にユーザが存在し続ける場合にメッセージを表示する回数を制限するようにしておいてもよい。
【００６１】
さらに、この実施例では、メッセージを所定回数表示したときに、メッセージを削除するようにした。しかし、メッセージを確実にユーザに提示したときにメッセージを削除すればよいので、たとえば、メッセージ表示可能領域の両端に押しボタンやタッチセンサのような入力装置を設けておき、ユーザがメッセージを確認した場合に当該入力装置を操作（オン）するようにすれば、当該入力装置からの入力を受けて、サーバ１２はメッセージを削除することも可能である。
【００６２】
この実施例によれば、２つの検出装置および表示部が配置される表示領域にユーザが侵入したときに、当該ユーザに対するメッセージを表示するので、ユーザに特別の操作を求めることなく、適切にメッセージを提示することができる。
【００６３】
したがって、たとえば、医師、看護師、工員、店員のようなユーザは、通常の業務中に、廊下や通路を移動しているときに、自身に対するメッセージを確認することができるため、通常の業務に支障を来たすことがない。さらに具体的に言えば、このようなユーザでは、自己の業務に必要な薬、部品、食器、器具ないしは道具を手に持っているため、手（両手）がふさがっている状態が頻繁に起こり得ると考えられる。したがって、当該メッセージをユーザが所持するＰＤＡのような携帯端末に送信し、表示するようにした場合には、ユーザは当該携帯端末を操作する必要があり、手がふさがっている場合には、そのようなメッセージの確認が面倒である。このような状況を回避しているのである。また、入院患者のようなユーザに対しては、院内における診療室を案内したり、病室に戻るべき旨を伝えたりすることができる。
【００６４】
なお、この実施例では、ＲＦタグが発信する電波に重畳される識別情報（ＲＦＩＤ）に基づいてユーザを識別するようにしたが、ＲＦタグから異なる周波数の電波を発信するようにすれば、周波数の違いでタグすなわちユーザを識別することも可能である。
【００６５】
また、この実施例では、ＲＦタグを用いて、ユーザおよびその位置を検出するようにしたが、ＩＲタグや超音波タグを用いることも可能である。ただし、ＩＲタグや超音波タグは、方向性（指向性）を有するため、ユーザの腰に装着し、かつ、左右両方の側方から赤外線や超音波を放出可能な構成にする必要がある。また、ＩＲタグからの赤外線や超音波タグからの超音波を受信する受信装置からの入力により、サーバはユーザおよびその位置を検出するため、当該受信装置は、廊下の壁に沿って、表示部の一方端から他方端までの間に、所定の間隔で複数配置する必要がある。したがって、検出したＩＲタグの赤外線に含まれる識別情報や超音波タグの超音波に重畳される識別情報に基づいて、ユーザを特定することができ、また、当該赤外線や超音波を受信した受信装置の配置位置をユーザの位置として検出することができる。ただし、赤外線や超音波をユーザの（ほぼ）真上に放出するように、ＩＲタグや超音波タグをユーザに装着する場合には、受信装置は、当該表示部が設けられる廊下の天井に配置することも可能である。この場合には、左右両方の側方から赤外線や超音波を放出するよりも、ＩＲタグや超音波タグの構成を簡素化できる。
【００６６】
さらに、ＩＲタグや超音波タグを用いる場合には、その受信装置を表示可能領域の両端に１つずつ設け、ＩＲタグや超音波タグから発信される識別情報に基づいて、表示可能領域に侵入または退出したユーザを検出し、表示可能領域内では、当該ユーザをカメラにより追跡して、その位置（ユーザ位置）を特定するようにしてもよい。かかる場合には、たとえば、各ユーザは、互いに異なる色の衣服を着用し、または、同じ色であり、異なる形状、模様または色彩のマークを付した衣服を着用するようにし、カメラからの映像を解析することにより、衣服の色や衣服にマークの違いによってユーザを個別に認識することができる。また、カメラの撮影範囲を、表示可能領域と同じ或いは略同じ幅に設定しておけば、ユーザ位置もカメラからの映像に基づいて判断することができる。
【００６７】
さらにまた、この実施例では、２つの検出装置の間隔と同じ或いはほぼ同じ長さの表示部を設けるようにしたが、メッセージ表示領域に相当する長さの表示部を設けて、当該表示部がレール上を移動するように構成することもできる。ただし、かかる場合には、当該表示部を複数設けて、複数のユーザやユーザの移動方向に対応させる必要がある。
【００６８】
また、この実施例では、１人のユーザに対して１のメッセージ表示領域を設けるようにしたが、２つ以上のメッセージ表示領域を設けるようにしてもよい。ただし、１のメッセージ表示領域を２つ以上に分割するようにしてもよい。かかる場合には、一度に複数のメッセージを表示することができ、属性情報に基づいて、表示するメッセージの位置を決定することができる。たとえば、緊急度の高いメッセージを目線が行き易い位置に表示することができる。
【００６９】
さらに、この実施例では、緊急度や発信日時に応じて、メッセージを表示する順番を決定するようにしたが、メッセージの色やスクロールの速度を変化させるよにしてもよい。たとえば、緊急度が高いメッセージについては、メッセージの色を他のメッセージとは変化させたり、スクロールの速度を低くしたりするようにすれば、ユーザが確実にメッセージを読み取ることができると考えられる。
【００７０】
さらにまた、この実施例では、簡単のため、ユーザにメッセージを提示するようにしたが、メッセージに限定される必要はなく、画像（図形、記号など）を提示することも可能である。たとえば、文字に変えて、図形や記号を暗号として用いれば、表示部に偏向フィルタ等を設けずに、秘匿性を有するメッセージを表示することが可能である。
【００７１】
また、この実施例では、簡単のため、ユーザが移動可能な領域に１つの表示部を設けて、当該表示部が設けられた表示可能領域に存在するユーザにメッセージを提示するようにした。しかし、異なる２以上の表示部を設けて、表示部が配置される２以上の異なる表示可能領域に存在するユーザにメッセージを提示することも可能である。たとえば、図１０に示すように、或る建物内の領域Ａ，…，領域Ｎのそれぞれに、２つの検出装置と表示部（表示装置）とが設けられる。なお、図１０においては、簡単のため、タグ２２は省略してある。かかる場合には、サーバ１２は、領域Ａ，…，領域Ｎのそれぞれについて、図８および図９に示した情報提示処理（マルチタスクによる処理）を実行し、各領域に存在するユーザにメッセージを提示することができる。このようにして、ユーザにメッセージを提示する領域を増やせば、メッセージを提示する領域（表示可能領域）すなわち場所の制限を減らして、ユーザに対して確実にメッセージを提示することができる。
【図面の簡単な説明】
【００７２】
【図１】図１はこの発明の情報提示システムの構成の一例を示す図解図である。
【図２】図２は図１実施例に示すユーザ情報ＤＢの内容の一例を示す図解図である。
【図３】図３は図１実施例に示す提示情報ＤＢの内容の一例を示す図解図である。
【図４】図４は提示情報を入力する場合に入力者の使用する端末に表示される所定のフォーマットの一例を示す図解図である。
【図５】図５は図１実施例に示す情報提示システムの敵用例を示す図解図である。
【図６】図６は図１実施例に示すサーバのワークメモリに記憶される検出装置からの入力情報を示す図解図である。
【図７】図７は図１実施例に表示装置の表示例を示す図解図である。
【図８】図８は図１実施例に示すサーバの情報提示処理の一部を示すフロー図である。
【図９】図９は図８に示す情報提示処理に後続するフロー図である。
【図１０】図１０はこの発明の情報提示システムの他の例の構成を示す図解図である。
【符号の説明】
【００７３】
１０  …情報提示システム
１２  …サーバ
１４，１６  …ＤＢ
１８  …表示装置
２０ａ，２０ｂ  …検出装置
２２  …タグ
【図１】
2005275842.tif 000003
【図２】
2005275842.tif 000004
【図３】
2005275842.tif 000005
【図４】
2005275842.tif 000006
【図５】
2005275842.tif 000007
【図６】
2005275842.tif 000008
【図７】
2005275842.tif 000009
【図８】
2005275842.tif 000010
【図９】
2005275842.tif 000011
【図１０】
2005275842.tif 000012